(57)【要約】【課題】簡単な操作で静止画を選択でき、再生中に表示している静止画を希望する静止画に切り替えることができる光ディスク再生装置を提供する。【解決手段】再生が開始すると、光ディスク１からオーディオ情報と複数の静止画情報とが読み出され、複数の静止画情報は静止画記憶制御手段２３によりＲＡＭ１４に記憶される。再生中に静止画切替え要求があり、静止画切替判定手段２４により静止画切替えが可能であると判定された時に、一覧表示制御手段２５によりＲＡＭ１４から複数の静止画情報が読み出され、複数の静止画がディスプレイ装置２０に一覧表示される。これにより、ユーザはディスプレイ装置２０に一覧表示された静止画の中から希望する静止画を選択すると、この選択された静止画は全画面表示制御手段２６により全画面表示される。【選択図】      図１
2004349998.tif 000002
【特許請求の範囲】
【請求項１】
光ディスクに記録されたオーディオ情報と複数の静止画情報を再生する光ディスク再生装置において、再生時に光ディスクから読み出した複数の静止画情報をメモリに記憶させる制御を行う静止画記憶制御手段と、再生中に静止画切替え要求があった時に静止画切替えが可能であるか否かを判定する静止画切替判定手段と、この静止画切替判定手段により静止画切替えが可能であると判定された時に前記メモリから複数の静止画情報を読み出して静止画をディスプレイ装置に一覧表示させる制御を行う一覧表示制御手段と、前記ディスプレイ装置に一覧表示された静止画から選択された静止画を全画面表示させる制御を行う全画面表示制御手段とを有するシステムコントローラを備えたことを特徴とする光ディスク再生装置。
【請求項２】
光ディスクに記録されたオーディオ情報と複数の静止画情報を再生する光ディスク再生装置において、再生中に静止画切替え要求があった時に静止画をディスプレイ装置に一覧表示させ、この一覧表示させた静止画から選択された静止画を全画面表示させる制御を行うシステムコントローラを備えたことを特徴とする光ディスク再生装置。
【請求項３】
前記システムコントローラは、再生時に光ディスクから読み出した複数の静止画情報をメモリに記憶させる制御を行う静止画記憶制御手段と、再生中に静止画切替え要求があった時に静止画切替えが可能であるか否かを判定する静止画切替判定手段と、この静止画切替判定手段により静止画切替えが可能であると判定された時に前記メモリから複数の静止画情報を読み出して静止画をディスプレイ装置に一覧表示させる制御を行う一覧表示制御手段と、前記ディスプレイ装置に一覧表示された静止画から選択された静止画を全画面表示させる制御を行う全画面表示制御手段とを有することを特徴とする請求項２に記載の光ディスク再生装置。
【発明の詳細な説明】
【０００１】
【発明の属する技術分野】
本発明は、光ディスクに記録されたオーディオ情報や静止画情報の再生を行う光ディスク再生装置に関し、特に、ユーザによって静止画を切り替えることができる機能を有する光ディスク再生装置に関する。
【０００２】
【従来の技術】
従来から、音楽などの音声の再生に必要なオーディオ情報と、複数の静止画の再生に必要な静止画情報とが予め定めたＤＶＤ（Ｄｉｇｉｔａｌ  Ｖｅｒｓａｔｉｌｅ  Ｄｉｓｋ）オーディオ規格により記録されたＤＶＤなどの光ディスクが普及しており、このような光ディスクの情報を再生する光ディスク再生装置は、一般にＤＶＤオーディオ装置と呼ばれている。
【０００３】
ところで、このようなＤＶＤオーディオ装置により、ＤＶＤオーディオ規格で記録された光ディスクを再生すると、音楽などの音声が再生されると共に、静止画も再生され、静止画がディスプレイ装置に表示されるが、静止画の切り替えはユーザが装置の例えば静止画切替キーを押すことにより、予め定めた順番の１番目の静止画から順番に切り替えられるようになっている。
【０００４】
【特許文献１】
特開２００２−１２５１８２号公報
【特許文献２】
特開２００１−２８５７８３号公報
【０００５】
【発明が解決しようとする課題】
しかしながら、上記のような従来のＤＶＤオーディオ装置（従来の光ディスク再生装置）では、ユーザが静止画を切り替えて希望する静止画をディスプレイ装置に表示させたい場合、静止画切替キーを押していき１番目の静止画から順番に表示させ、希望の静止画が表示されるまで静止画切替キーを何回も押さなくてはならないので、静止画を切り替える際の操作が面倒で、使い勝手が悪いという課題があった。
【０００６】
なお、特許文献１に記載のディスク再生装置では、オーディオ情報の再生中に所定の繰り返しタイミングで複数の静止画を選択的に表示できるようにし、表示可能な複数の静止画を次々と表示させるので、煩雑な操作を行う必要がなく、静止画を表示させる際の操作を簡略化しているが、ユーザが希望する静止画を表示することができず、上記課題を解決できるものではない。
【０００７】
また、特許文献２に記載のＤＶＤオーディオディスク静止画像再生装置では、光ディスク上に記憶されたタイミングに基づき、再生される静止画に関するすべての再生情報を再生情報メモリに記憶し、前記記憶内容から再生表示されている静止画が次の静止画に切り替わるまでの残時間を制御部で算出することにより、ユーザがどのタイミングで静止画が切り替わるかを知ることができるようにしたものであって、ユーザが希望する静止画を表示できるようにしたものではないので、この従来技術も上記課題を解決できるものではない。
【０００８】
本発明は、上記のような課題を解決するためになされたもので、簡単な操作で静止画を選択でき、再生中に表示している静止画を希望する静止画に切り替えることができる光ディスク再生装置を提供することを目的とする。
【０００９】
【課題を解決するための手段】
上記目的を達成するために、請求項１の発明は、光ディスクに記録されたオーディオ情報と複数の静止画情報を再生する光ディスク再生装置において、再生時に前記光ディスクから読み出した複数の静止画情報をメモリに記憶させる制御を行う静止画記憶制御手段と、再生中に静止画切替え要求があった時に静止画切替えが可能であるか否かを判定する静止画切替判定手段と、この静止画切替判定手段により静止画切替えが可能であると判定された時に前記メモリから複数の静止画情報を読み出して静止画をディスプレイ装置に一覧表示させる制御を行う一覧表示制御手段と、前記ディスプレイ装置に一覧表示された静止画から選択された静止画を全画面表示させる制御を行う全画面表示制御手段とを有するシステムコントローラを備えたことを特徴とする光ディスク再生装置を提供する。
【００１０】
この構成において、再生が開始すると、光ディスクからオーディオ情報と複数の静止画情報とが読み出され、それら複数の静止画情報は静止画記憶制御手段によりメモリに記憶される。また、この光ディスクに対する再生が開始すると、オーディオ情報および静止画情報が再生され、音楽などの音声が出力可能となると共に例えば１番目の静止画が表示可能となる。再生中に静止画切替え要求があり、静止画切替判定手段により静止画切替えが可能であると判定された時に、一覧表示制御手段により前記メモリから複数の静止画情報が読み出され、複数の静止画がディスプレイ装置に一覧表示される。これにより、ユーザは、ディスプレイ装置に一覧表示された静止画の中から希望する静止画を選択すると、この選択された静止画は全画面表示制御手段により全画面表示される。
【００１１】
したがって、この構成の光ディスク再生装置によれば、複数の静止画を一覧表示できることにより、ユーザは簡単な操作で静止画を選択でき、希望の静止画に切り替えることができるので、静止画の切り替えの際の操作が簡単で、使い勝手を向上させることができる。
【００１２】
請求項２の発明は、光ディスクに記録されたオーディオ情報と複数の静止画情報を再生する光ディスク再生装置において、再生中に静止画切替え要求があった時に静止画をディスプレイ装置に一覧表示させ、この一覧表示させた静止画から選択された静止画を全画面表示させる制御を行うシステムコントローラを備えたことを特徴とする光ディスク再生装置を提供する。
【００１３】
この構成において、再生が開始すると、光ディスクからオーディオ情報と複数の静止画情報とが読み出され、オーディオ情報および静止画情報が再生され、音楽などの音声が出力可能となると共に、例えば１番目の静止画が表示可能となる。この再生中に静止画切替え要求があると、複数の静止画がディスプレイ装置に一覧表示される。これにより、ユーザは、ディスプレイ装置に一覧表示された静止画の中から希望する静止画を選択すると、この選択された静止画は全画面表示される。
【００１４】
したがって、この構成の光ディスク再生装置によれば、複数の静止画を一覧表示できることにより、ユーザは簡単な操作で静止画を選択でき、希望の静止画に切り替えることができるので、静止画の切り替えの際の操作が簡単で、使い勝手を向上させることができる。
【００１５】
請求項３の発明では、前記システムコントローラは、再生時に光ディスクから読み出した複数の静止画情報をメモリに記憶させる制御を行う静止画記憶制御手段と、再生中に静止画切替え要求があった時に静止画切替えが可能であるか否かを判定する静止画切替判定手段と、この静止画切替判定手段により静止画切替えが可能であると判定された時に前記メモリから複数の静止画情報を読み出して静止画をディスプレイ装置に一覧表示させる制御を行う一覧表示制御手段と、前記ディスプレイ装置に一覧表示された静止画から選択された静止画を全画面表示させる制御を行う全画面表示制御手段とを有するので、静止画を一覧表示することが可能になり、また、希望する静止画に切り替えることが可能になる。
【００１６】
【発明の実施の形態】
以下、添付図面を参照しつつ、本発明の実施の形態について説明する。図１は本発明の一実施形態に係る光ディスク再生装置の構成を示すブロック図である。この光ディスク再生装置は、光ディスク１を回転させるスピンドルモータ５と、光ディスク１に記録された情報を再生するためのレーザ光を出射すると共に光ディスク１からの反射光を受光する光ピックアップ２と、この光ピックアップ２を光ディスク１の半径方向に移動させるためのスレッド３と、システムコントローラ２２の指示に応じてスピンドルモータ５およびスレッド３を駆動すると共に光ピックアップ２に内蔵された対物レンズ（図示せず）を動かすことによりレーザ光の焦点位置を光ディスク１の記録面に対して垂直方向および水平方向に移動させる制御を行うサーボ制御部４とを備えている。
【００１７】
また、この光ディスク再生装置は、光ディスク１の再生時に光ピックアップ２からの読取信号であるＲＦ信号を増幅するＲＦアンプ６と、このＲＦアンプ６から出力されたＲＦ信号をデジタルデータに変換した後に光ディスク１のデータフォーマットに応じた信号復調処理と誤り訂正処理を行って生成したデータをＲＡＭ７に格納するデジタル信号処理部８と、システムコントローラ２２の指示に応じてデジタル信号処理部８から出力されたデータストリームの中からＤＶＤオーディオ規格に基づいているオーディオデータとサブピクチャデータとビデオデータ（静止画データ）とを分離するストリーム分離部９とを備えている。
【００１８】
また、この光ディスク再生装置は、ストリーム分離部９から出力されたオーディオデータを入力して所定のデコード処理を行うオーディオデコーダ１１と、このオーディオデコーダ１１でのデコード処理を行うためにデータを一時的に格納するＲＡＭ１０と、ストリーム分離部９から出力されたサブピクチャデータを入力して所定のデコード処理を行うサブピクチャデコーダ１３と、このサブピクチャデコーダ１３でのデコード処理を行うためにデータを一時的に格納するＲＡＭ１２と、ストリーム分離部９から出力されたビデオデータを入力して所定のデコード処理を行うビデオデコーダ１５と、このビデオデコーダ１５でのデコード処理を行うためにデータを一時的に格納すると共に静止画データを格納するＲＡＭ１４とを備えている。
【００１９】
また、この光ディスク再生装置は、システムコントローラ２２の指示に応じてビデオデコーダ１５から出力されたデータとサブピクチャデコーダ１３から出力されたデータとを合成するビデオプロセッサ１７と、このビデオプロセッサ１７から出力された合成データを表示用のビデオ信号に変換して静止画をディスプレイ装置２０に表示させるビデオエンコーダ１８と、オーディオデコーダ１１から出力されたデータをアナログのオーディオ信号に変換して例えばスピーカ１９に供給するＤ／Ａ変換器１６とを備えている。
【００２０】
また、この光ディスク再生装置は、システムコントローラ２２に対して、音声などの再生指示を与えるための再生キーや、再生停止を指示するための停止キー、あるいは静止画を選択表示するためのナビゲーションキーなどの各種操作キーを有する操作部２１と、装置全体を制御するシステムコントローラ２２とを備えている。なお、操作部２１は、リモートコントローラであっても良いし、装置本体の操作パネルに設けられた操作部であっても良い。
【００２１】
システムコントローラ２２は、再生時に光ディスク１から読み出した複数の静止画情報をＲＡＭ１４に記憶させる制御を行う静止画記憶制御手段２３と、再生中に静止画切替え要求があった時に静止画切替えが可能であるか否かを判定する静止画切替判定手段２４と、この静止画切替判定手段２４により静止画切替えが可能であると判定された時にＲＡＭ１４から複数の静止画情報を読み出して静止画をディスプレイ装置２０に一覧表示させる制御を行う一覧表示制御手段２５と、ディスプレイ装置２０に一覧表示された静止画から選択された静止画を全画面表示させる制御を行う全画面表示制御手段２６とを有している。
【００２２】
次に図２〜図４を参照して本実施形態の光ディスク再生装置における静止画の切替え処理について説明する。この光ディスク再生装置において、操作部２１の再生キーを押して再生操作を行い（ステップＳ１）、光ディスク１からオーディオ情報と静止画情報を読み出し、オーディオ情報による音声をスピーカ１９から出力させると共に、静止画情報による静止画をディスプレイ装置２０に表示させるという通常再生を行う（ステップＳ２）。この通常再生が行われると、システムコントローラ２２内の静止画記憶制御手段２３は光ディスク１から読み出された静止画情報の全部をメモリとしてのＲＡＭ１４に記憶する（ステップＳ３）。なお、全ての静止画情報は、光ディスク１を再生開始した時に全部読み出され、ＲＡＭ１４に記憶される。
【００２３】
ここで、静止画を切り替えるため操作部２１のナビゲーションキー（静止画切替キー）が押されると（ステップＳ４）、静止画切替判定手段２４は静止画切替可能であるか否かを判定し（ステップＳ５）、静止画切替可能であればステップＳ６の処理に移る。ナビゲーションキーが押されなくて（ステップＳ４）、再生が終了していない場合は（ステップＳ１０）、ステップＳ２の処理に戻る。また、静止画切替が可能ではなく（ステップＳ５）、再生が終了していない場合は（ステップＳ１０）、ステップＳ２の処理に戻る。なお、ステップＳ５において静止画切替可能でないと判定された場合は、ステップＳ４において押されたナビゲーションキーの操作信号は無効となる。
【００２４】
ところで、光ディスク１に記録された静止画情報を再生して静止画を切り替える処理の種類として、オーディオデータのストリーム（予め定めたタイミング）に同期して静止画を切り替えるスライドショーと、静止画をシーケンシャルに切り替えるシーケンシャル・ブラウザブルと、静止画を任意に切り替えるランダム／シャッフル・ブラウザブルとが知られており、ユーザの操作により静止画を切り替えできるのはシーケンシャル・ブラウザブルとランダム／シャッフル・ブラウザブルであり、スライドショーではユーザの操作によっては静止画を切り替えることができない。
【００２５】
光ディスク１からの読み出した静止画がシーケンシャル・ブラウザブルまたはランダム／シャッフル・ブラウザブルで切替可能であれば、一覧表示制御手段２５は、ＲＡＭ１４から全静止画情報を読み出し（ステップＳ６）、ディスプレイ装置２０に静止画（例えば静止画Ａ〜Ｙ）を図３に示すように一覧表示する（ステップＳ７）。
【００２６】
そして、ユーザが一覧表示された静止画から希望する静止画を選択する操作を行うと（ステップＳ８）、全画面表示制御手段２６は選択された静止画をディスプレイ装置２０の全画面に表示する（ステップＳ９）。例えばユーザが図３中に示す静止画Ｅを選択すると、図４に示すように静止画Ｅが全画面に表示される。
【００２７】
この後、光ディスク１の再生が終了していない場合は（ステップＳ１０）、ステップＳ２に戻り、同様な処理を行う。ユーザの操作により、光ディスク１の再生を途中で停止させた場合や、光ディスク１の再生を最後まで終えた場合などは再生終了と判定し（ステップＳ１０）、この静止画切替処理を終了する。なお、ステップＳ４においてナビゲーションキーが押されなくて再生が行われている場合は、予め定めた時間間隔でシーケンシャル・ブラウザブルまたはランダム／シャッフル・ブラウザブルに従って静止画が切り替えられる。
【００２８】
【発明の効果】
以上のように本発明によれば、再生時に光ディスクから読み出した複数の静止画情報をメモリに記憶させる制御を行う静止画記憶制御手段と、再生中に静止画切替え要求があった時に静止画切替えが可能であるか否かを判定する静止画切替判定手段と、この静止画切替判定手段により静止画切替えが可能であると判定された時に前記メモリから複数の静止画情報を読み出して静止画をディスプレイ装置に一覧表示させる制御を行う一覧表示制御手段と、前記ディスプレイ装置に一覧表示された静止画から選択された静止画を全画面表示させる制御を行う全画面表示制御手段とを有するシステムコントローラを備えたので、複数の静止画を一覧表示でき、これにより、ユーザは簡単な操作で静止画を選択でき、希望の静止画に切り替えることができ、したがって、静止画の切り替えの際の操作が簡単で、使い勝手が向上する。
【００２９】
また、本発明によれば、再生中に静止画切替え要求があった時に静止画をディスプレイ装置に一覧表示させ、この一覧表示させた静止画から選択された静止画を全画面表示させる制御を行うシステムコントローラを備えたので、複数の静止画を一覧表示でき、これにより、ユーザは簡単な操作で静止画を選択でき、希望の静止画に切り替えることができ、したがって、静止画の切り替えの際の操作が簡単で、使い勝手が向上する。
【図面の簡単な説明】
【図１】本発明の一実施形態に係る光ディスク再生装置の構成を示すブロック図である。
【図２】前記実施形態において静止画切替え処理を説明するためのフローチャートである。
【図３】前記実施形態において静止画が一覧表示された表示画面を示す図である。
【図４】前記実施形態において選択された静止画が全画面表示された表示画面を示す図である。
【符号の説明】
１    光ディスク
１４    ＲＡＭ（メモリ）
２０    ディスプレイ装置
２２    システムコントローラ
２３    静止画記憶制御手段
２４    静止画切替判定手段
２５    一覧表示制御手段
２６    全画面表示制御手段
【図１】
2004349998.tif 000003
【図２】
2004349998.tif 000004
【図３】
2004349998.tif 000005
【図４】
2004349998.tif 000006